(57)【要約】【課題】前後方向の寸法を極力小さくするようにした除湿機を提供すること。【解決手段】圧縮機を収納する機械室と、送風機、蒸発器及び凝縮器を収納し、機械室の上部に配置される熱交換器室とから除湿機を構成し、熱交換器室では、空気通過面が本体ケースの前面と平行になるように、蒸発器と凝縮器とを上下に配置する。【選択図】　　　　図１
2004116870.tif 000002
【特許請求の範囲】
【請求項１】
圧縮機を収納する機械室と、送風機、蒸発器及び凝縮器を収納し、機械室の上部に配置される熱交換器室とを有し、熱交換器室は、空気通過面が本体の前面と平行になるように、蒸発器と凝縮器とを上下に配置してなる除湿機。
【請求項２】
熱交換器室は蒸発器が凝縮器の下方に配置されてなり、機械室は蒸発器からのドレン水を貯留するドレンタンクを収納してなる請求項１記載の除湿機。
【請求項３】
熱交換器室は、蒸発器の前面に吸込口が設けられ、凝縮器及び蒸発器の背面側に凝縮器と蒸発器とを連絡する通風路が形成され、かつ、上面に吹出口が設けられてなり、さらに、送風機は、シロッコ型送風機であって、吸入口が凝縮器側に向けられ、吐出口が上面に取り付けられた吹出口に向けられて配置されてなる請求項２記載の除湿機。
【請求項４】
機械室は、平面的に見て圧縮機が左右幅方向の中央部に配置され、ドレンタンクが圧縮機の左右部に跨るように配置されてなる請求項２又は３記載の除湿機。
【請求項５】
吸込口と蒸発器の前面との間に操作基板部を設け、吸い込み空気の一部を操作基板部内に通風させるように構成した請求項１〜４の何れか１項記載の除湿機。
【発明の詳細な説明】
【０００１】
【発明の属する技術分野】
本発明は、除湿機に関し、特に除湿機の前後方向の寸法を小さくする構造に関する。
【０００２】
【従来の技術】
従来の除湿機では、蒸発器と凝縮器とが前後に並べて配置されていたため、前後方向の寸法が大きくならざるを得なかった。このような構造の除湿機の公知例としては、特許文献１に記載のようなものがある。
また、近年は、除湿機の能力アップに伴い蒸発器及び凝縮器が大型化している。このため、機械寸法が大きくなる傾向にある。
【０００３】
【特許文献１】
特開平５−２２３２７８号公報　（第２頁−第３頁、図１−３）
【０００４】
【発明が解決しようとする課題】
ところが、除湿機は、最近では押し入れ等の狭い空間に入れて使われることが多くなっている。このため、製品のスリム化が望まれてきている。
【０００５】
本発明は、このような従来技術に存在する問題点に鑑みされたものである。その目的とするところは、前後方向の寸法を極力小さくするようにした除湿機を提供することにある。
【０００６】
【課題を解決するための手段】
上記目的を達成するために、本発明に係る除湿機は、圧縮機を収納する機械室と、送風機、蒸発器及び凝縮器を収納し、機械室の上部に配置される熱交換器室とを有し、熱交換器室は、空気通過面が本体の前面と平行になるように、蒸発器と凝縮器とを上下に配置してなることを特徴とする。
このように構成すると、機械室の上部に形成される熱交換器室において、蒸発器と凝縮器とが空気通過面を本体前面と平行にして上下に配置されているため、除湿機の前後方向の寸法を小さくすることができる。
【０００７】
また、このような除湿機において、熱交換器室は蒸発器が凝縮器の下方に配置されてなり、機械室は蒸発器からのドレン水を貯留するドレンタンクを収納してなる構成としてもよい。このように構成すると、蒸発器で発生したドレン水を機械室のドレンタンクに直接流し込むことができ、ドレン処理が容易な構造とすることができる。
【０００８】
また、このように構成された除湿機において、熱交換器室は、蒸発器の前面に吸込口が設けられ、凝縮器及び蒸発器の背面側に凝縮器と蒸発器とを連絡する通風路が形成され、かつ、上面に吹出口が設けられてなり、さらに、送風機は、シロッコ型送風機であって、吸入口が凝縮器側に向けられ、吐出口が上面に取り付けられた吹出口に向けられて配置されてなるように構成してもよい。このように構成すると、送風機の吸い込み側に凝縮器及び蒸発器を配置することができるので、前後方向の寸法を小さくしても凝縮器及び蒸発器の風量分布を良好に維持することができ、前後方向の寸法を削減することが可能となる。
【０００９】
また、機械室に配置する圧縮機を左右幅方向の中央部に配置するとともに、ドレンタンクを圧縮機の左右部に跨るように配置してもよい。このように構成すると、圧縮機をドレンタンクで囲むことになり、圧縮機が発生する騒音を防音することができるとともに、限られたスペースを最大限利用することで、ドレンタンクの容量を大きくすることができる。
【００１０】
また、上記のように構成された各除湿機において、吸込口と蒸発器の前面との間に操作基板部を設け、吸い込み空気の一部を操作基板部内に通風させるように構成してもよい。このように構成すると、吸い込み空気の一部により操作基板を冷却することができるので、操作基板に取り付けられた電子部品を十分に冷却することができ、その耐久性を向上させることができる。
【００１１】
【発明の実施の形態】
以下、本発明の実施の形態に係る除湿機につき図１乃至図４に基づき説明する。図１は本発明の実施の形態１に係る除湿機の側断面図である。図２は同除湿機の正面図である。図３は図１におけるＩＩＩ−ＩＩＩ断面図である。図４は同除湿機における機械室の平面配置図である。
【００１２】
この発明の実施の形態に係る除湿機は、本体が上下に２分割されている。下方部は圧縮機１１を収納した機械室１であり、上方部は凝縮器２１及び蒸発器２２を収納した熱交換器室２である。
【００１３】
機械室１は、図３及び図４に示すように左右方向中央部の後方側に圧縮機１１を取り付け、ドレンタンク１２が圧縮機１１の左右に跨るように形成されている。なお、ドレンタンク１２はこれら図面においては、中央部分１２ａが左右の部分を一体に接続する部分として機能しているが、この中央部分１２ａは、圧縮機１１と機械室１の前後方向の寸法との差から定めることができるものである。なお、本実施の形態において重要なことは、圧縮機１１の左右部に形成されるスペースをドレンタンク１２として利用することにより、除湿機の前後方向の寸法が大きくならないように配慮されていることである。なお、図４に示されるように、ドレンタンク１２の前面は機械室の前面を形成している。そして、このドレンタンク１２の前面には、ドレンタンク１２の水位を見ることができるように覗き窓１４が形成されている（図２参照）。
【００１４】
熱交換器室２は、機械室１の上部に形成されるが、凝縮器２１を空気通過面が本体前面と平行となるように配置した上部熱交換器室３１と、蒸発器２２を空気通過面が本体前面と平行となるように配置した下部熱交換器室３２とに２分される。
【００１５】
上部熱交換器室３１は、下部熱交換器室３２に配置された蒸発器２２の上部位置に凝縮器２１が配置され、蒸発器２２及び凝縮器２１の後方部が通風路３９として形成されている。また、凝縮器２１の前方には送風機３３が配置されている。送風機３３としては、シロッコ型送風機が使用されている。
送風機３３は、吸入口３３ａが凝縮器２１側となり、吐出口３３ｂが上方となるように配置されている。また、この除湿機の吹出口３６が本体上面における前面側部分に設けられており、送風機３３の吐出口３３ｂが吹出口３６に接続されるように構成されている。また、送風機３３の吸入口３３ａの中央部にはモータ３３ｃが設けられている。
【００１６】
下部熱交換器室３２は、前面側に吸込口３５が設けられ（図２参照）、所定間隔を明けて蒸発器２２が設けられている。また、下部熱交換器室３２は、蒸発器２２の前面側と吸込口３５との間に操作基板部３７が設けられ、吸込口３５から吸入した空気の一部が操作基板部３７内を流通するように構成されている。
【００１７】
上記のように構成された除湿機は、圧縮機１１及び送風機３３を駆動することにより除湿運転が行われる。除湿運転において、室内空気は吸込口３５から下部熱交換器室３２に吸い込まれる。下部熱交換器室３２に吸い込まれた室内空気は蒸発器２２で冷却除湿されて通風路３９を通って上方の凝縮器２１に送られる。蒸発器２２で冷却除湿された空気は凝縮器２１で再熱されて吹出口３６から吹き出される。このように室内空気が冷却除湿、再熱されることにより、除湿機に吸い込まれた空気は、殆ど温度変化せずに除湿された状態で吹出口３６から吹き出される。
【００１８】
以上のように構成された除湿機によれば、本体が圧縮機１１を収納する機械室１と、送風機３３、蒸発器２２及び凝縮器２１を収納し、機械室１の上部に配置される熱交換器室２とに分割され、さらに、熱交換器室２では、空気通過面が本体の前面と平行になるように、蒸発器２２と凝縮器２１とを上下に配置しているので、除湿機本体の前後方向の寸法を薄くすることができる。
【００１９】
また、熱交換器室２では、蒸発器２２が凝縮器２１の下方に配置され、蒸発器２２からのドレン水を貯留するドレンタンク１２が蒸発器２２下方の機械室に設けられているので、ドレン処理が容易な構造とすることができる。
【００２０】
また、このように構成された除湿機において、熱交換器室２は凝縮器２１と蒸発器２２の背面側に通風路３９が形成され、かつ、その上面に吹出口３６が設けられてなり、さらに、送風機３３は、シロッコ型送風機であって、吸入口３３ａが凝縮器２１側に向けられ、吐出口３３ｂが上面に取り付けられた吹出口３６に向けられて配置されているので、送風機３３の吸い込み側に凝縮器２１及び蒸発器２２が配置される。したがって、前後方向の寸法を小さくしても凝縮器２１及び蒸発器２２の風量分布を良好に維持することができ、前後方向の寸法を削減することが可能となる。
【００２１】
また、この除湿機の機械室１では、圧縮機１１が左右幅方向の中央部に配置されるとともに、ドレンタンク１２が圧縮機１１の左右部に跨るように形成されているので、圧縮機１１がドレンタンク１２で囲まれることになり、圧縮機１１が発生する騒音を防音することができる。また、限られたスペースを最大限利用することで、ドレンタンク１２の容量を大きくすることができる。
【００２２】
また、吸込口３５と蒸発器２２の前面との間に操作基板部３７が設けられ、吸い込み空気の一部が操作基板部３７内に通風されるように構成されているので、吸い込み空気の一部により操作基板が冷却される。したがって、操作基板上の電子部品の冷却が十分に行われ、その耐久性を向上させることができる。
【００２３】
【発明の効果】
本発明の除湿機によれば、機械室の上部に形成される熱交換器室において、蒸発器と凝縮器とが空気通過面を本体前面と平行にして上下に配置されているため、除湿機の前後方向の寸法を小さくすることができる。
【図面の簡単な説明】
【図１】本発明の実施の形態に係る除湿機の側断面図である。
【図２】同除湿機の正面図である。
【図３】図１におけるＩＩＩ−ＩＩＩ断面図である。
【図４】同除湿機における機械室の平面配置図である。
【符号の説明】
１　　　　　機械室
２　　　　　熱交換器室
１１　　　圧縮機
１２　　　ドレンタンク
２１　　　凝縮器
２２　　　蒸発器
３３　　　送風機（シロッコ型送風機）
３５　　　吸込口
３６　　　吹出口
３７　　　操作基板部
３９　　　通風路
【図１】
2004116870.tif 000003
【図２】
2004116870.tif 000004
【図３】
2004116870.tif 000005
【図４】
2004116870.tif 000006